(57)【特許請求の範囲】
【請求項１】
本体ケーシングの底側面を構成する底板（２）と、この底板（２）の側部に立設される閉鎖弁取付板（１）とを、単一の部材で一体に形成し、上記閉鎖弁取付板（１）に、上下方向に延びるリブ（３）（４）を設け、また上記閉鎖弁取付板（１）は、ガス閉鎖弁と液閉鎖弁とを水平方向に並べて取り付けるよう成されており、さらに上記リブ（３）（４）は、ガス閉鎖弁を取り付ける側のリブ（３）の断面形状を、液閉鎖弁を取り付ける側のリブ（４）の断面形状よりも太くしていることを特徴とする空気調和機の室外機。
【請求項２】
上記閉鎖弁取付板（１）の外周部は、側板（１１）に設けた切欠（１２）の周辺部によって外側から支持されていることを特徴とする請求項１の空気調和機の室外機。
【請求項３】
上記閉鎖弁取付板（１）には、上側角部を斜めに切り欠く切欠部（１３）を設け、取り付けられた閉鎖弁の近傍を側板（１１）によって支持するようにしていることを特徴とする請求項２の空気調和機の室外機。
【発明の詳細な説明】
【０００１】
【発明の属する技術分野】
この発明は、空気調和機の室外機に関するものである。
【０００２】
【従来の技術】
分離型の空気調和機では、室外機と室内機との間に、ガス管及び液管から成る冷媒配管が接続される。そしてこの冷媒配管を介して室外機と室内機との間に冷媒を循環させ、冷熱又は温熱を搬送して室内の空調を行うようになっている。ただ空気調和機の設置時やメンテナンス時においては室外機と室内機との間に冷媒配管を接続していない場合もあり、このような場合には室外機から冷媒が漏出するのを防止する必要がある。そこでガス管及び液管の室外機出口側に、それぞれ外部から開閉操作可能なガス閉鎖弁及び液閉鎖弁を設け、室外機からの冷媒の漏出をコントロールできるようにしている。そしてこれに伴って室外機には、上記ガス閉鎖弁及び液閉鎖弁を外部に露出させるよう取り付ける閉鎖弁取付板が設けられている。
【０００３】
図４は、従来の空気調和機の室外機が備える底フレームを示す側面図である。この底フレームは、本体ケーシングの底面側を構成する底板４２と、この底板４２の側部に立設された閉鎖弁取付板４１とを備えて構成されている。閉鎖弁取付板４１は、液閉鎖弁を取り付けるための取付穴４５と、ガス閉鎖弁を取り付けるための取付穴４６とを互いに上下に備え、上下方向に長く横方向に短く成されている。また上記取付穴４５、４６の側方には、閉鎖弁を固定するためのビス穴５０が設けられている。そしてこの閉鎖弁取付板４１は、上記底板４２の側辺に形成された立縁部４３に、溶接箇所４７、４８でスポット溶接されるとともに、底面における溶接箇所（図示せず）で底板４２にスポット溶接され、上記底板４２に取り付けられている。
【０００４】
【発明が解決しようとする課題】
上記室外機では、それぞれ別部材にて底板４２と閉鎖弁取付板４１とを形成している。そして両部材４１、４２をスポット溶接によって連結し、底フレームを構成している。従って閉鎖弁取付板４１と底板４２とを異なる板厚や材質を有する部材で構成できるという利点がある。しかしその一方、スポット溶接等の工数が必要なため、これがコストアップの一因になるという問題があった。
【０００５】
この発明は、上記従来の課題を解決するためになされたものであって、その目的は、底フレームの組立工数を削減してコストダウンを図ることが可能な空気調和機の室外機を提供することにある。
【０００６】
【課題を解決するための手段】
そこで請求項１の空気調和機の室外機は、本体ケーシングの底側面を構成する底板２と、この底板２の側部に立設される閉鎖弁取付板１とを、単一の部材で一体に形成し、上記閉鎖弁取付板１に、上下方向に延びるリブ３、４を設け、また上記閉鎖弁取付板１は、ガス閉鎖弁と液閉鎖弁とを水平方向に並べて取り付けるよう成されており、さらに上記リブ３、４は、ガス閉鎖弁を取り付ける側のリブ３の断面形状を、液閉鎖弁を取り付ける側のリブ４の断面形状よりも太くしていることを特徴としている。
【０００７】
上記請求項１の空気調和機の室外機では、底板１と閉鎖弁取付板２とを単一の部材で一体物として形成しているから、両部材１、２の連結工程を省略することが可能となる。また、リブ３、４によって、閉鎖弁取付板１の強度を閉鎖弁を支持するのに十分なものとすることが可能となる。さらに、ガス閉鎖弁と液閉鎖弁とを水平方向に並べて取り付けるようにしているので、閉鎖弁の操作によって生じ、閉鎖弁取付板１に加えられるモーメントを、閉鎖弁を上下方向に並べて取り付ける場合よりも、小さくすることが可能となる。しかも、上記リブ３、４は、ガス閉鎖弁を取り付ける側のリブ３を液閉鎖弁を取り付ける側のリブ４よりも太くしているので、大型のガス閉鎖弁を取り付ける側の閉鎖弁取付板１の強度がより強化されることになる。
【０００８】
また請求項２の空気調和機の室外機は、上記閉鎖弁取付板１の外周部は、側板１１に設けた切欠１２の周辺部によって外側から支持されていることを特徴としている。
【０００９】
上記請求項２の空気調和機の室外機では、上記閉鎖弁取付板１の外周部は、側板１１に設けた切欠１２の周辺部によって外側から支持されるので、外方への引張力が閉鎖弁取付板１に加えられても、側板１１によって閉鎖弁取付板１の変形を防止することができる。
【００１０】
さらに請求項３の空気調和機の室外機は、上記閉鎖弁取付板１には、上側角部を斜めに切り欠く切欠部１３を設け、取り付けられた閉鎖弁の近傍を側板１１によって支持するようにしていることを特徴としている。
【００１１】
上記請求項３の空気調和機の室外機では、取り付けられた液閉鎖弁の近傍を側板１１によって支持するようになっているので、閉鎖弁取付板１の変形はより確実に防止される。
【００１２】
【発明の実施の形態】
次に、この発明の空気調和機の室外機の具体的な実施の形態について、図面を参照しつつ詳細に説明する。
【００１３】
図２は、上記室外機の本体ケーシングを構成する底フレームの側面図である。この底フレームは、本体ケーシングの底面側を構成する底板２と、この底板２の短手側の側辺に立設された閉鎖弁取付板１とを、単一の部材で一体に形成して成されている。すなわち、底板２の周縁に立ち上げ形成された立縁部７を、底板２の短手辺中央部においてそのまま上方に延長し、閉鎖弁取付板１を形成しているのである。
【００１４】
図１（ａ）は上記閉鎖弁取付板１の正面図であり、同図（ｂ）はそのＡ−Ａ断面図である。これらの図に示すように閉鎖弁取付板１は、上下方向に短く横方向に長く成されている。そしてその中央部に、室外機の外側方へ向かって凸となるよう形成された弁取付部８が設けられている。そしてこの突出形成によって、弁取付部８と閉鎖弁取付板１との間を閉鎖弁取付板１の板面に対して斜めに連接する連接部９が、弁取付部８の周囲を取り囲むように形成されている。
【００１５】
上記弁取付部８には、ガス閉鎖弁を取り付けるための第１取付穴５と、液閉鎖弁を取り付けるための第２取付穴６とが、互いに水平方向に並べて設けられている。また両取付穴５、６の斜め両側方には、それぞれ閉鎖弁を固定するためのビス穴１０が設けられている。そして上記弁取付部８の両側方には、上記立縁部７の下端部から閉鎖弁取付板１の上部まで上下方向に延びるリブ３、４が設けられている。これらリブ３、４は、室外機の内側方へ向かって凹陥するよう断面ほぼ半円形に成され、第１取付穴５側に設けられた第１リブ３が、第２取付穴６側に設けられた第２リブ４よりも太く形成されている。また上記閉鎖弁取付板１には、その第２取付穴６側の上側角部を斜めに切り欠く切欠部１３が設けられている。そしてこの切欠部１３に沿って、上記連接部９にも斜めに延びる傾斜部１４が形成されている。
【００１６】
図３は、上記のような閉鎖弁取付板１と底板２とで構成された底フレームと、この底フレームに取り付けられる側板１１との組立を示す斜視図である。側板１１は、室外機内に設置された圧縮機等を、その側方及び背面側から覆うようにして取り付けられ、本体ケーシングを構成するものである。この側板１１の側面下部には、上記弁取付部８の外形とほぼ同形状で、これよりもやや大きく切り欠かれた切欠１２が設けられている。そこでこの切欠１２を上記閉鎖弁取付板１に重ねるようにして、側板１１を底フレームに取り付ける。すると上記切欠１２が弁取付部８よりもやや大きく成されていることから、閉鎖弁取付板１の外周部外側面が上記切欠１２の周辺部内側面と重なり、上記切欠１２から上記弁取付部８が側方に露出するようになる。
【００１７】
上記空気調和機の室外機では、閉鎖弁取付板１と底板２とを単一の部材で一体に形成している。従って、従来のスポット溶接のような連結工程は不要となり、室外機の組立工数を削減してコストダウンを図ることができる。また弁取付部８の両側方に上下方向に延びるリブ３、４を設けているから、閉鎖弁取付板１の板厚を底板２の板厚よりも特に大きくしなくとも、閉鎖弁取付板１の強度を十分なものとして、閉鎖弁を確実に支持することができる。しかもこのリブ３、４を断面半円形状としているので、閉鎖弁取付板１に加えられる上下方向の曲がりに対して十分な強度を発揮することができる。さらに上記では、閉鎖弁を水平方向に並べて取り付けるようにしている。そのため閉鎖弁取付板１の下部基端を支点として、閉鎖弁の操作により垂直平面内で閉鎖弁取付板１に加えられるモーメントは、閉鎖弁を上下方向に並べて取り付ける従来よりも小さくなる。また閉鎖弁取付板１を上下方向よりも横方向に長くしていることによっても、上記モーメントに対する強度が確保されることになる。従って、閉鎖弁の支持はより確実なものとなる。
【００１８】
また閉鎖弁は、冷媒配管の太さに対応してガス閉鎖弁の方が液閉鎖弁よりもいくぶん大型である。そこで上記リブ３、４は、ガス閉鎖弁を取り付ける側のリブ３を液閉鎖弁を取り付ける側のリブ４よりも太くしている。従って大型のガス閉鎖弁を取り付ける側の閉鎖弁取付板１の強度がより強化されることになる。また上記閉鎖弁取付板１の外周部は、側板１１に設けた切欠１２の周辺部によって外側から支持される。従って外方への引張力が閉鎖弁取付板１に加えられても、側板１１によって閉鎖弁取付板１の変形を防止することができる。しかも閉鎖弁取付板１には切欠部１３を設けて、取り付けられた液閉鎖弁のごく近傍を側板１１によって支持するようになっている。従って閉鎖弁取付板１の変形はより確実に防止される。さらに弁取付部８を閉鎖弁取付板１の板面から突出形成しているから、これによっても閉鎖弁取付板１の強度が高くなり、閉鎖弁をさらに確実に支持することができる。
【００１９】
以上にこの発明の具体的な実施の形態について説明したが、この発明は上記形態に限定されるものではなく、この発明の範囲内で種々変更して実施することができる。例えば図示した閉鎖弁取付板１やリブ３、４の形状は一例であって、閉鎖弁が確実に支持できる範囲内で種々に変更することができる。また上記では閉鎖弁取付板１を底板２の側辺に設けたが、底板２の背面側や前面側等に設けるような変更も可能である。なお、「水平方向に並べて」とは、取り付けられた閉鎖弁が、互いに水平方向に重なり合う部分を有するように位置されていることをいう。
【００２０】
【発明の効果】
上記請求項１の空気調和機の室外機では、底板と閉鎖弁取付板とを単一の部材で一体物として形成することにより、両部材の連結工程を省略することができる。従って工数の削減によって室外機のコストダウンを図ることが可能となる。また、リブを設けることによって、閉鎖弁取付板の強度を閉鎖弁を支持するのに十分なものとすることができる。従って閉鎖弁取付板が底板と同じ板厚であっても、閉鎖弁を確実に支持することが可能となる。さらに、取り付けられた閉鎖弁によって生じ閉鎖弁取付板に加えられるモーメントを小さくすることができる。従って閉鎖弁取付板が底板と同じ板厚であっても、閉鎖弁を確実に支持することが可能となる。しかも、リブは、ガス閉鎖弁を取り付ける側のリブを液閉鎖弁を取り付ける側のリブよりも太くしているので、大型のガス閉鎖弁を取り付ける側の閉鎖弁取付板の強度がより強化されることになる。
【００２１】
また請求項２の空気調和機の室外機では、閉鎖弁取付板の外周部は、側板に設けた切欠の周辺部によって外側から支持されるので、外方への引張力が閉鎖弁取付板に加えられても、側板によって閉鎖弁取付板の変形を防止することができる。
【００２２】
さらに請求項３の空気調和機の室外機では、取り付けられた液閉鎖弁の近傍を側板によって支持するようになっているので、閉鎖弁取付板の変形はより確実に防止される。
【図面の簡単な説明】
【図１】この発明の一実施形態の空気調和機の室外機に備えられた閉鎖弁取付板を示し、同図（ａ）は正面図であり、同図（ｂ）はそのＡ−Ａ断面図である。
【図２】上記室外機に備えられた底フレームの側面図である。
【図３】上記底フレームと側板との組立を示す斜視図である。
【図４】従来例の室外機に設けられた底フレームの側面図である。
【符号の説明】
１  閉鎖弁取付板
２  底板
３  第１リブ
４  第２リブ
５  第１取付穴
６  第２取付穴
【図１】
0003591388.tif 000002
【図２】
0003591388.tif 000003
【図３】
0003591388.tif 000004
【図４】
0003591388.tif 000005